(57)【要約】【課題】特別低電圧回路で使用可能なコンセント、プラグ及び配線装置を提供する。【解決手段】プラグ１の前面には丸穴状の嵌合穴１３が開口し、嵌合穴１３の内周面には基準リブ１４が突設され、嵌合穴１３内にはピン端子１５ａ，１５ｂが配設されている。コンセント２のソケット部３は、嵌合部１２が挿入されるプラグ挿入用穴３１と、プラグ挿入用穴３１の底面から前方に突出する円柱状の突出部３２と、突出部３２の側周面に形成されて基準リブ１４が嵌合する嵌合溝３５と、突出部３２の前面に開口する端子挿入用孔３３ａ，３３ｂから内部に挿入されるピン端子１５ａ，１５ｂにそれぞれ電気的に接続される複数の刃受部材を備える。プラグ１及びソケット部３は、ＩＥＣ規格に準拠した安全特別低電圧回路用のプラグ及びソケットと基準リブ１４の突出量及び嵌合溝３５の深さ寸法のみが相違しており、両寸法が小さい寸法に設定されている。【選択図】図１
2010055895.tif 000002
【特許請求の範囲】
【請求項１】
丸穴状の嵌合穴が開口する嵌合部、嵌合穴の内周面における基準位置に突設された基準リブ、及び嵌合穴の内部にプラグ挿抜方向に沿って配置された給電用の複数のピン端子を備えたプラグが挿抜自在に挿入されるソケット部を具備して、施工面に配設されるコンセントであって、
前記ソケット部は、プラグの嵌合部が挿入される丸穴状のプラグ挿入用穴と、プラグ挿入用穴の内周面との間に嵌合部が挿入される隙間を設けた状態で、プラグ挿入用穴の底面から前方に向かって突出し前記嵌合穴内に挿入される円柱状の突出部と、当該突出部の側周面に形成されて前記基準リブが嵌合する嵌合溝と、前記突出部の前面に開口して、前記複数のピン端子がそれぞれ挿入される複数の端子挿入用孔と、安全特別低電圧電源に比べて絶縁等級の低い特別低電圧電源が供給され、複数の端子挿入用孔を通して突出部内に挿入されるピン端子にそれぞれ電気的に接続される複数の刃受部材とを備え、
前記ソケット部は、ＩＥＣ規格に準拠した安全特別低電圧回路用のソケットと、前記突出部の側周面から前記嵌合溝の底面までの深さ寸法のみが相違し、前記深さ寸法が、安全特別低電圧回路用のソケットに設けられた嵌合溝の深さ寸法よりも小さい寸法に設定されたことを特徴とするコンセント。
【請求項２】
前記ソケット部が備える前記突出部の側周面において、給電電圧に応じた位置に、前記プラグ側の識別リブが係入する誤接続防止溝が設けられたことを特徴とする請求項１記載のコンセント。
【請求項３】
丸穴状に開口するプラグ挿入用穴、プラグ挿入用穴の内周面との間に隙間を設けた状態でプラグ挿入用穴の底面から前方に向かって突出する円柱状の突出部、当該突出部の側周面に形成された嵌合溝、前記突出部の前面に開口した複数の端子挿入用孔、及び安全特別低電圧電源に比べて絶縁等級の低い特別低電圧電源が供給され、前記突出部内に端子挿入用孔に臨んで配置された複数の刃受部材を具備したコンセントに挿抜自在に挿入されるプラグであって、
前記プラグ挿入用穴に挿抜自在に挿入される嵌合部と、嵌合部の表面に開口して前記突出部が挿入される丸穴状の嵌合穴と、嵌合穴の内周面における基準位置に突設されて前記嵌合溝と嵌合する基準リブと、嵌合穴の内部にプラグ挿抜方向に沿って配置され、前記各端子挿入用孔から前記突出部内に挿入されて前記刃受部材に電気的に接続される複数のピン端子とを備え、
ＩＥＣ規格に準拠した安全特別低電圧回路用のプラグと、前記嵌合部の内周面からの前記基準リブの突出量のみが相違し、前記突出量が、安全特別低電圧回路用のプラグに設けられた基準リブの突出量よりも小さい寸法に設定されたことを特徴とするプラグ。
【請求項４】
前記嵌合穴の内周面において、給電電圧に応じた位置に、前記ソケット部が備える前記突出部の側周面に形成された誤接続防止溝に係入される識別リブが設けられたことを特徴とする請求項３記載のプラグ。
【請求項５】
電線に接続されるプラグと、当該プラグが着脱自在に接続されるソケット部を具備して施工面に配設されるコンセントとを備え、安全特別低電圧回路に比べて絶縁等級の低い特別低電圧回路に使用される配線装置であって、
プラグは、丸穴状の嵌合穴が開口する嵌合部と、嵌合穴の内周面における基準位置に突設された基準リブと、嵌合穴の内部にプラグ挿抜方向に沿って配置された複数のピン端子とを備えるとともに、
コンセントのソケット部は、プラグの嵌合部が挿入される丸穴状のプラグ挿入用穴と、プラグ挿入用穴の内周面との間に嵌合部が挿入される隙間を設けた状態で、プラグ挿入用穴の底面から前方に向かって突出し前記嵌合穴内に挿入される円柱状の突出部と、当該突出部の側周面に形成されて前記基準リブが嵌合する嵌合溝と、前記突出部の前面に開口して、前記複数のピン端子がそれぞれ挿入される複数の端子挿入用孔と、安全特別低電圧電源に比べて絶縁等級の低い特別低電圧電源が供給され、複数の端子挿入用孔を通して突出部内に挿入されるピン端子にそれぞれ電気的に接続される複数の刃受部材とを備え、
プラグ及びソケット部は、ＩＥＣ規格に準拠した安全特別低電圧回路用のプラグ及びソケットと、嵌合穴の内周面からの基準リブの突出量、及び、突出部の側周面から嵌合溝の底面までの深さ寸法のみが相違し、前記基準リブの突出量及び前記嵌合溝の深さ寸法が、それぞれ、前記安全特別低電圧回路用のプラグ及びソケットに設けられた基準リブの突出量及び嵌合溝の深さ寸法よりも小さい寸法に設定されたことを特徴とする配線装置。
【請求項６】
前記ソケット部が備える前記突出部の側周面において、給電電圧に応じた位置に、前記プラグ側の識別リブが係入する誤接続防止溝が形成されたことを特徴とする請求項５記載の配線装置。
【発明の詳細な説明】
【技術分野】
【０００１】
本発明は、低電圧の電路を接続するために使用されるコンセント、プラグ及び配線装置に関するものである。
【背景技術】
【０００２】
従来、ラジオや電話機などの機器は直流電源を駆動電源としており、このような直流機器に直流電源を供給するための直流コンセントが公知であった（例えば特許文献１参照）。
【特許文献１】特開平７−１５８３５号公報（段落［００２１］−［００２３］、及び、第１図）
【発明の開示】
【発明が解決しようとする課題】
【０００３】
上記特許文献１の直流コンセントでは、直流電源のコンセント口が、ＡＣアダプタの備えるピンタイプのプラグに対応したコンセント口となっており、メーカ毎或いは国毎にプラグの形状が異なるため、汎用性が乏しいものであった。
【０００４】
そこで、ＩＥＣ規格（ＣＥＩ／ＩＥＣ  ９０６−３）において、ＳＥＬＶ（Safty Extra Low Voltage：安全特別低電圧）回路で使用されるプラグ及びソケットが規格化されており、この規格に準拠したプラグ及びコンセントからなる配線装置を本願の出願人は提案している。
【０００５】
しかしながら、ＩＥＣ規格に準拠したプラグ及びソケットでは、プラグ及びソケットの形状がＳＥＬＶ回路用に規格化されているので、ＩＥＣ規格に準拠したＳＥＬＶ回路用のプラグ或いはソケットを有する機器であれば相互に接続可能であるが、ＳＥＬＶ回路に比べて安全等級の低いＥＬＶ（Extra Low Voltage：特別低電圧）回路で使用されるプラグ及びソケットについて、ＩＥＣ規格では規格化されておらず、ＥＬＶ回路で使用可能なプラグ及びソケットが要望されていた。
【０００６】
本発明は上記問題点に鑑みて為されたものであり、その目的とするところは、特別低電圧回路で使用可能なコンセント、プラグ及び配線装置を提供することにある。
【課題を解決するための手段】
【０００７】
請求項１の発明は、丸穴状の嵌合穴が開口する嵌合部、嵌合穴の内周面における基準位置に突設された基準リブ、及び嵌合穴の内部にプラグ挿抜方向に沿って配置された給電用の複数のピン端子を備えたプラグが挿抜自在に挿入されるソケット部を具備して、施工面に配設されるコンセントであって、ソケット部は、プラグの嵌合部が挿入される丸穴状のプラグ挿入用穴と、プラグ挿入用穴の内周面との間に嵌合部が挿入される隙間を設けた状態で、プラグ挿入用穴の底面から前方に向かって突出し嵌合穴内に挿入される円柱状の突出部と、当該突出部の側周面に形成されて基準リブが嵌合する嵌合溝と、突出部の前面に開口して、複数のピン端子がそれぞれ挿入される複数の端子挿入用孔と、安全特別低電圧電源に比べて絶縁等級の低い特別低電圧電源が供給され、複数の端子挿入用孔を通して突出部内に挿入されるピン端子にそれぞれ電気的に接続される複数の刃受部材とを備え、ソケット部は、ＩＥＣ規格に準拠した安全特別低電圧回路用のソケットと、突出部の側周面から嵌合溝の底面までの深さ寸法のみが相違し、深さ寸法が、安全特別低電圧回路用のソケットに設けられた嵌合溝の深さ寸法よりも小さい寸法に設定されたことを特徴とする。
【０００８】
請求項２の発明は、請求項１の発明において、ソケット部が備える突出部の側周面において、給電電圧に応じた位置に、プラグ側の識別リブが係入する誤接続防止溝が設けられたことを特徴とする。
【０００９】
請求項３の発明は、請求項１の発明において、丸穴状に開口するプラグ挿入用穴、プラグ挿入用穴の内周面との間に隙間を設けた状態でプラグ挿入用穴の底面から前方に向かって突出する円柱状の突出部、当該突出部の側周面に形成された嵌合溝、突出部の前面に開口した複数の端子挿入用孔、及び安全特別低電圧電源に比べて絶縁等級の低い特別低電圧電源が供給され、突出部内に端子挿入用孔に臨んで配置された複数の刃受部材を具備したコンセントに挿抜自在に挿入されるプラグであって、プラグ挿入用穴に挿抜自在に挿入される嵌合部と、嵌合部の表面に開口して突出部が挿入される丸穴状の嵌合穴と、嵌合穴の内周面における基準位置に突設されて嵌合溝と嵌合する基準リブと、嵌合穴の内部にプラグ挿抜方向に沿って配置され、各端子挿入用孔から突出部内に挿入されて刃受部材に電気的に接続される複数のピン端子とを備え、ＩＥＣ規格に準拠した安全特別低電圧回路用のプラグと、嵌合部の内周面からの基準リブの突出量のみが相違し、突出量が、安全特別低電圧回路用のプラグに設けられた基準リブの突出量よりも小さい寸法に設定されたことを特徴とする。
【００１０】
請求項４の発明は、請求項３の発明において、嵌合穴の内周面において、給電電圧に応じた位置に、ソケット部が備える突出部の側周面に形成された誤接続防止溝に係入される識別リブが設けられたことを特徴とする。
【００１１】
請求項５の発明は、請求項１の発明において、電線に接続されるプラグと、当該プラグが着脱自在に接続されるソケット部を具備して施工面に配設されるコンセントとを備え、安全特別低電圧回路に比べて絶縁等級の低い特別低電圧回路に使用される配線装置であって、プラグは、丸穴状の嵌合穴が開口する嵌合部と、嵌合穴の内周面における基準位置に突設された基準リブと、嵌合穴の内部にプラグ挿抜方向に沿って配置された複数のピン端子とを備えるとともに、コンセントのソケット部は、プラグの嵌合部が挿入される丸穴状のプラグ挿入用穴と、プラグ挿入用穴の内周面との間に嵌合部が挿入される隙間を設けた状態で、プラグ挿入用穴の底面から前方に向かって突出し嵌合穴内に挿入される円柱状の突出部と、当該突出部の側周面に形成されて基準リブが嵌合する嵌合溝と、突出部の前面に開口して、複数のピン端子がそれぞれ挿入される複数の端子挿入用孔と、安全特別低電圧電源に比べて絶縁等級の低い特別低電圧電源が供給され、端子挿入用孔を通して突出部内に挿入されるピン端子にそれぞれ電気的に接続される複数の刃受部材とを備え、プラグ及びソケット部は、ＩＥＣ規格に準拠した安全特別低電圧回路用のプラグ及びソケットと、嵌合穴の内周面からの基準リブの突出量、及び、突出部の側周面から嵌合溝の底面までの深さ寸法のみが相違し、基準リブの突出量及び嵌合溝の深さ寸法が、それぞれ、安全特別低電圧回路用のプラグ及びソケットに設けられた基準リブの突出量及び嵌合溝の深さ寸法よりも小さい寸法に設定されたことを特徴とする。
【００１２】
請求項６の発明は、請求項５の発明において、ソケット部が備える突出部の側周面において、給電電圧に応じた位置に、プラグ側の識別リブが係入する誤接続防止溝が形成されたことを特徴とする。
【発明の効果】
【００１３】
請求項１の発明によれば、特別低電圧回路に使用されるコンセントのソケット部は、ＩＥＣ規格に準拠した安全特別低電圧回路用のソケットと嵌合溝の深さ寸法のみが相違し、深さ寸法が、安全特別低電圧回路用のソケットよりも小さい寸法に設定されているので、特別低電圧回路に使用されるコンセントに対して、特別低電圧回路用のプラグを接続することができる。また、特別低電圧回路に比べて安全等級の高い安全特別低電圧回路で使用される負荷機器は、特別低電圧回路で使用される負荷機器に比べて機器自体の絶縁性能が低い場合があり、特別低電圧回路で使用されると、安全上の問題が発生する可能性もあるが、請求項１の発明では、ソケット部が有する嵌合溝の深さ寸法が、ＩＥＣ規格に準拠した安全特別低電圧回路用のソケットに比べて小さい寸法に設定されているので、安全特別低電圧回路用の負荷機器からのプラグが接続されることはなく、安全特別低電圧回路で使用される負荷機器が、特別低電圧回路で使用されることで不具合が発生するのを防止することができる。
【００１４】
請求項２の発明によれば、供給電圧の異なるプラグがソケット部に差込接続されるのを防止することができ、ソケット部に接続される機器に対して適切な供給電圧を供給することができる。
【００１５】
請求項３の発明によれば、特別低電圧回路に使用されるプラグは、ＩＥＣ規格に準拠した安全特別低電圧回路用のプラグと基準リブの突出量のみが相違し、突出量が、安全特別低電圧回路用のプラグよりも小さい寸法に設定されているので、このプラグを、特別低電圧回路に使用されるコンセントに対して接続することができる。また、安全特別低電圧回路に比べて安全等級の低い特別低電圧回路で使用される負荷機器は、安全特別低電圧回路で使用される負荷機器に比べて機器自体に高い絶縁性能が要求されるので、特別低電圧回路で使用される負荷機器を安全特別低電圧回路に使用しても何ら問題はないが、請求項３の発明では、基準リブの突出量が、ＩＥＣ規格に準拠した安全特別低電圧回路用のプラグに比べて小さい寸法に設定されているので、特別低電圧回路用のソケット部だけではなく、安全特別低電圧回路用のソケットにも接続することができ、特別低電圧回路及び安全特別低電圧回路の両方で使用できるという効果がある。
【００１６】
請求項４の発明によれば、供給電圧の異なるプラグがソケット部に差込接続されるのを防止することができ、ソケット部に接続される機器に対して適切な供給電圧を供給することができる。
【００１７】
請求項５の発明によれば、特別低電圧回路に使用されるプラグ及びソケット部は、ＩＥＣ規格に準拠した安全特別低電圧回路用のプラグ及びソケットと、基準リブの突出量及び嵌合溝の深さ寸法のみが相違し、基準リブの突出量及び嵌合溝の深さ寸法が、安全特別低電圧回路用のプラグ及びソケットよりも小さい寸法に設定されているので、特別低電圧回路用のプラグ及びソケット部を相互に接続することができる。また、特別低電圧回路に比べて安全等級の高い安全特別低電圧回路で使用される負荷機器は、特別低電圧回路で使用される負荷機器に比べて機器自体の絶縁性能が低い場合があり、特別低電圧回路で使用されると、安全上の問題が発生する可能性もあるが、請求項５の発明では、ソケット部が有する嵌合溝の深さ寸法が、ＩＥＣ規格に準拠した安全特別低電圧回路用のソケットに比べて小さい寸法に設定されているので、安全特別低電圧回路用の負荷機器からのプラグが接続されることはなく、安全特別低電圧回路で使用される負荷機器が、特別低電圧回路で使用されることで不具合が発生するのを防止することができる。また更に、安全特別低電圧回路に比べて安全等級の低い特別低電圧回路で使用される負荷機器は、安全特別低電圧回路で使用される負荷機器に比べて機器自体に高い絶縁性能が要求されるので、特別低電圧回路で使用される負荷機器を安全特別低電圧回路に使用しても何ら問題はないが、請求項５の発明では、基準リブの突出量が、ＩＥＣ規格に準拠した安全特別低電圧回路用のプラグに比べて小さい寸法に設定されているので、特別低電圧回路用のソケット部だけではなく、安全特別低電圧回路用のソケットにも接続することができ、特別低電圧回路及び安全特別低電圧回路の両方で使用できるという効果がある。
【００１８】
請求項６の発明によれば、供給電圧の異なるプラグがソケット部に差込接続されるのを防止することができ、ソケット部に接続される機器に対して適切な供給電圧を供給することができる。
【発明を実施するための最良の形態】
【００１９】
以下に、本発明に係る配線装置の実施形態を図１〜図１１に基づいて説明する。
【００２０】
図１（ａ）（ｂ）は直流電源用の配線装置を示し、この配線装置は、負荷機器６０からの電線６１に接続されるプラグ１と、当該プラグ１が着脱自在に接続されるソケット部３を有して施工面に配設されるコンセント２とで構成される。尚、ソケット部３には、交流電源ＡＣ（例えばＡＣ１００Ｖ）をトランス７０により降圧した後、ＡＣ／ＤＣコンバータ７１により負荷機器６０に適合した電圧値（例えばＤＣ６Ｖ，１２Ｖ，２４Ｖ，４８Ｖ）に変換された直流電源が供給されており、コンセント２にプラグ１が接続された負荷機器６０に対して直流電源が供給されるようになっている。またトランス７０の一次側及び二次側は共に接地されており、トランス７０の二次側はＳＥＬＶ回路に比べて絶縁等級の低いＥＬＶ回路となっている。
【００２１】
また図２（ａ）（ｂ）は交流電源用の配線装置を示し、ソケット部３には、交流電源ＡＣ（例えばＡＣ１００Ｖ）をトランス７０により負荷機器６０に適合した電圧値（例えばＡＣ６Ｖ，１２Ｖ，２４Ｖ，４８Ｖ）に変換した交流電源が供給されており、コンセント２にプラグ１が接続された負荷機器６０に対して交流電源が供給されるようになっている。
【００２２】
プラグ１およびソケット部３の嵌合部分の形状、寸法並びに極配置はＩＥＣ規格（ＣＥＩ／ＩＥＣ  ９０６−３）で規格化されたものと、後述する基準リブ１４及び嵌合溝３５の寸法を除いて同一であり、ＩＥＣ規格では８種類（交流及び直流の６Ｖ，１２Ｖ，２４Ｖ，４８Ｖ）のＳＥＬＶ電源に対して嵌合部分の形状、寸法並びに極配置などが定められている。
【００２３】
プラグ１は、図６及び図７に示すように、負荷機器６０からの電線６１の端部に接続されている。プラグ１は略円柱状のプラグ本体１１を備え、プラグ本体１１の先端側には後側よりも細径となる円筒状の嵌合部１２が形成されている。嵌合部１２の前面には、丸穴状に凹んだ嵌合穴１３が開口しており、嵌合穴１３の内周面には基準位置を示す基準リブ１４がプラグ挿抜方向（図６（ａ）において紙面と垂直な方向）に沿って突設されている。そして、プラグ本体１１の中心位置を通り、当該中心位置と基準リブ１４とを結ぶ線分に対して直交する直線上には、中心位置に対して対称な位置に、プラグ本体１１の軸方向に沿って延びる丸棒状の２本のピン端子１５ａ，１５ｂが配置されている。
【００２４】
ここで、直流電源用のプラグ１では、図８（ａ）に示すように基準リブ１４を上側に見た時に右側に位置するピン端子１５ａが正極側、左側に位置するピン端子１５ｂが負極側のピン端子となっている。また嵌合穴１３の内周面には、電源の種類（直流又は交流の別、及び定格電圧）に応じた位置に、プラグ挿抜方向に沿って延びる誤接続防止用の識別リブ１６が突設されている。図８（ａ）はＤＣ電源用のプラグ１に設けられた識別リブ１６の位置を示し、電源電圧がＤＣ６Ｖ，１２Ｖ，２４Ｖ，４８Ｖの場合、それぞれ、基準リブ１４の位置を基準（０°）として左回りに１２０°，１５０°，２１０°，２４０°の位置に識別リブ１６が１箇所ずつ形成されている。また図８（ｂ）はＡＣ電源用のプラグ１に設けられた識別リブ１６の位置を示し、電源電圧がＡＣ６Ｖ，１２Ｖ，２４Ｖ，４８Ｖの場合、それぞれ、基準リブ１４の位置を基準として左回りに３０°，６０°，３００°，３３０°の位置に識別リブ１６が１箇所ずつ形成されている。ここにおいて、図６及び図７に示すプラグはＤＣ４８Ｖ用であり、基準リブ１４に対して左回りに２４０°の位置に識別リブ１６が形成されている。
【００２５】
一方、コンセント２は、図３（ａ）〜（ｄ）に示すように前面にソケット部３が設けられた器体４を備える。器体４の前部にはプレート枠５が一体に設けられており、器体４の後部を施工面に開口する埋込孔（図示せず）に収めた状態で、プレート枠５の上下に設けた挿通孔にボックスねじ６を挿通し、このボックスねじ６を埋込ボックス（図示せず）のねじ孔に螺合することによって、器体４が施工面に埋込配設されるようになっている。
【００２６】
コンセント２が備えるソケット部３には、図３及び図４に示すように、プラグ１の嵌合部１２の前面と形状及び大きさが同じであって嵌合部１２が挿抜自在に接続されるプラグ挿入用穴３１が開口する。プラグ挿入用穴３１の底面からは、プラグ１の嵌合穴１３内に挿入される円柱状の突出部３２が前方に向かって突出形成されている。そして、円柱状の突出部３２の前面には、ピン端子１５ａ，１５ｂがそれぞれ挿入される端子挿入用孔３３ａ，３３ｂが開口し、突出部３２の内側には端子挿入用孔３３ａ，３３ｂを通して内部に挿入されるピン端子１５ａ，１５ｂに電気的に接続される刃受部材３４，３４が収納されている。また、器体４の背面には図３（ｃ）に示すように２個で１組の電線挿入孔２０が２組設けられている。器体４の内部には、各組の電線挿入孔２０からそれぞれ挿入される電線の芯線が電気的に接続される速結端子構造の端子部が２組収納されており、ＡＣ／ＤＣコンバータ７１の出力線を２組の端子部に接続することによって、刃受部材３５，３５に直流電源が供給されるようになっている。尚、速結端子構造の端子部は従来周知であるので、その説明は省略する。
【００２７】
また突出部３２の側周面には、基準位置を示す嵌合溝３５がプラグ挿抜方向に沿って形成され、突出部３２の中心位置を通り、当該中心位置と嵌合溝３５とを結ぶ線分に対して直交する直線上には、中心位置に対して対称な位置に上記の端子挿入用孔３３ａ，３３ｂが開口している。ここにおいて、ＤＣ電源用のソケット部３では、図５（ａ）に示すように嵌合溝３５を上側に見た時に左側に位置する端子挿入用孔３３ａが正極側のピン端子に対応し、右側に位置する端子挿入用孔３３ｂが負極側のピン端子に対応している。
【００２８】
また突出部３２の側周面には、電源の種類（直流又は交流の別、及び定格電圧）に応じた位置に、対応するプラグ１の識別リブ１６が嵌合する誤接続防止用の嵌合溝３６（誤接続防止溝）が形成されている。ここで、図５（ａ）はＤＣ電源用のソケット部３に設けられた嵌合溝３６の位置を示し、電源電圧がＤＣ６Ｖ，１２Ｖ，２４Ｖ，４８Ｖの場合、それぞれ、嵌合溝３５の位置を基準（０°）として右回りに１２０°，１５０°，２１０°，２４０°の位置に嵌合溝３６が１箇所ずつ形成されている。また、図５（ｂ）はＡＣ電源用のソケット部３に設けられた嵌合溝３６の位置を示し、電源電圧がＡＣ６Ｖ，１２Ｖ，２４Ｖ，４８Ｖの場合、それぞれ、嵌合溝３５の位置を基準（０°）として右回りに３０°，６０°，３００°，３３０°の位置に嵌合溝３６が１箇所ずつ形成されている。ここにおいて、図３及び図４に示すソケット部３はＤＣ４８Ｖ用であり、嵌合溝３５の位置を基準として右回りに２４０°の位置に嵌合溝３６が形成されている。このように、ソケット部３では、突出部３２の側周面において給電電圧に応じた位置に、プラグ１に設けた識別リブ１６が係入する嵌合溝３６が形成されているので、識別リブ１６及び嵌合溝３６の位置によって、供給電圧の異なるプラグ１がソケット部３に差込接続されるのを防止することができ、負荷機器６０に適合した電源を供給することができる。
【００２９】
而して、ソケット部３に適合したプラグ１の嵌合部１２がプラグ挿入用穴３１に挿入されると、嵌合部１２の嵌合穴１３に突出部３２が挿入されるとともに、嵌合部１２の内周面に設けた基準リブ１４及び識別リブ１６がそれぞれ突出部３２の嵌合溝３５，３６に係入される。このとき、突出部３２の端子挿入用穴３３ａ，３３ｂを通して、突出部３２内に挿入されたピン端子１５ａ，１５ｂは、それぞれ、刃受部材３４，３４に電気的に接続され、ピン端子１５ａ，１５ｂに刃受部材３４，３４が弾接する弾接力などによって、プラグ１がソケット部３に接続された状態で保持される。なおソケット部３では、突出部３２の前面が器体４の前面よりも後退した位置にあるので、ソケット部３に接続されたプラグ１の器体４前面からの突出量を小さくできる。
【００３０】
ところで、プラグ１及びソケット部３の嵌合部分の形状、寸法並びに極配置は、嵌合部１２（嵌合穴１３）の内周面からの基準リブ１４の突出量、および、突出部３２の側周面から嵌合溝３５の底面までの深さ寸法を除いては、ＩＥＣ規格（ＣＥＩ／ＩＥＣ  ９０６−３）に準拠したＳＥＬＶ回路用のプラグ及びソケットと同様であり、基準リブ１４の突出量がＳＥＬＶ回路用のプラグに設けられた基準リブの突出量よりも小さい寸法に設定され、且つ、嵌合溝３５の深さ寸法がＳＥＬＶ回路用のソケットに設けられた嵌合溝の深さ寸法よりも小さい寸法に設定されている。
【００３１】
ここで、図１０（ｂ）及び図１１（ｂ）はＳＥＬＶ回路用のプラグ４０の形状を示し、図１０（ｂ）はＤＣ電源用のプラグ４０を、図１１（ｂ）はＡＣ電源用のプラグ４０をそれぞれ示している。プラグ４０は円筒状の嵌合部４１を有し、嵌合部４１の前面には丸穴状の嵌合穴４２が開口している。嵌合穴４２の内周面には、基準位置を示す基準リブ４３がプラグ挿抜方向に沿って突設されている。そして、嵌合部４１の中心位置を通り、当該中心位置と基準リブ４３とを結ぶ線分に対して直交する直線上には、中心位置に対して対称な位置に、導電材料により丸棒状に形成された２本のピン端子４４ａ，４４ｂが配置されている。ここで、ＤＣ電源用のプラグ４０では、図１０（ｂ）に示すように基準リブ４３を上側に見た時に右側に位置するピン端子４４ａが正極側、左側に位置するピン端子４４ｂが負極側のピン端子となっている。また嵌合穴４２の内周面には、電源の種類（直流又は交流の別、及び定格電圧）に応じた位置に、プラグ挿抜方向に沿って延びる誤接続防止用の識別リブ４５が突設されており、その配置は上述した識別リブ１６の配置と同様であるので、詳細な説明は省略する。
【００３２】
また図１０（ａ）及び図１１（ａ）はＳＥＬＶ回路用のソケット５０の形状を示し、図１０（ａ）はＤＣ電源用のソケット５０を、図１１（ａ）はＡＣ電源用のソケット５０をそれぞれ示している。ソケット５０には、プラグ４０の嵌合部４１が挿入される丸穴状のプラグ挿入用穴５１が開口している。プラグ挿入用穴５１の底面からは、プラグ４０の嵌合穴４２内に挿入される円柱状の突出部５２が前方に向かって突出形成されている。この突出部５２の前面には、プラグ４０のピン端子４４ａ，４４ｂがそれぞれ挿入される端子挿入用孔５３ａ，５３ｂが開口しており、突出部５２の内部には端子挿入用孔５３ａ，５３ｂを通して内部に挿入されるピン端子４４ａ，４４ｂに電気的に接続される刃受部材（図示せず）が収納されている。また突出部５２の側周面には、基準位置を示す嵌合溝５４がプラグ挿抜方向に沿って形成され、突出部５２の中心位置を通り、当該中心位置と嵌合溝５４とを結ぶ線分に対して直交する直線上には、中心位置に対して対称な位置に上述の端子挿入用孔５３ａ，５３ｂが開口している。尚、ＤＣ電源用のソケット５０では、図１０（ａ）に示すように嵌合溝５４を上側に見た時に左側に位置する端子挿入用孔５３ａが正極側のピン端子に対応し、右側に位置する端子挿入用孔５３ｂが負極側のピン端子に対応している。また突出部５２の側周面には、電源の種類（直流又は交流の別、及び定格電圧）に応じた位置に、対応するプラグ４０の識別リブ４５が嵌合する誤接続防止用の嵌合溝５５が形成されており、その配置は上述した嵌合溝３６の配置と同様であるので、詳細な説明は省略する。
【００３３】
ＳＥＬＶ回路用のプラグ４０及びソケット５０は上記のような構成を有しており、本願発明のＥＬＶ回路用のプラグ１及びソケット部３とは、基準位置を示す基準リブ１４，４３の突出量、及び、嵌合溝３５，５４の深さ寸法を除いて同一の形状、寸法及び極配置に形成されている。図９は複数種類（ＥＬＶ回路用、ＳＥＬＶ回路用、接地極の有無）のプラグ及びソケット部の相互接続関係を示しており、太線の矢印は相互に接続が可能なプラグ及びソケットを、点線の矢印は接続が不可能なプラグ及びソケットを示している。図示のように定格電圧が同じであればＥＬＶ回路用のソケット部３に、ＥＬＶ回路用のプラグ１を相互に接続することができる。また、プラグ１及びソケット部３では定格電圧の違いによって識別リブ１６及び嵌合溝３６の位置が異なるから、定格電圧の異なるソケット部３とプラグ１とが誤って接続されることはなく、負荷機器６０に適合した電圧を供給することが可能になる。
【００３４】
また図９に示すように、本発明に係るプラグ１に接地極用のピン端子１５ｃが付加された接地極付きプラグ１’や、ソケット部３に接地極用のピン端子１５ｃが接続される接地端子接続部３７が付加されたソケット部３’を有する接地極付きコンセント２’を備えた場合に、接地極付きプラグ１’と接地極付きコンセント２’とが相互に接続可能なことは勿論であるが、接地極付きコンセント２’では接地端子接続部３７が突出部３２との間に所定の隙間を開けて設けられているので、接地極用のピン端子を備えていないプラグ１を、接地極付きのコンセント２’に接続することもできる。
【００３５】
また更に、プラグ１に設けられた基準リブ１４の突出量は、プラグ４０に設けられた基準リブ４３の突出量よりも小さい寸法に設定されるとともに、ソケット部３に設けられた嵌合溝３５の深さ寸法は、ソケット５０に設けられた嵌合溝５４の深さ寸法よりも小さい寸法に形成されているので、基準リブ４３が嵌合溝３５に干渉することによって、ＳＥＬＶ回路用のプラグ４０がＥＬＶ回路用のソケット部３に接続されるのを防止できる。ＳＥＬＶ回路用のプラグ４０を備える負荷機器６２は、ＥＬＶ回路に比べて絶縁等級の高いＳＥＬＶ回路で使用されるため、負荷機器６２自体の絶縁対策が必ずしも十分とは言えないものもあり、このような負荷機器６２がＥＬＶ回路で使用されると、感電などの事故が発生する可能性もあるが、本実施形態のソケット部３にはＳＥＬＶ回路用のプラグ４０を接続できないため、絶縁対策が不十分な負荷機器６２が接続されることはない。さらに接地極付きのコンセント２’は、コンセント２のソケット部３に接地端子接続部３７を付加したものであり、コンセント２と同様、ソケット部３’に設けられた嵌合溝３５の深さ寸法は、ソケット５０に設けられた嵌合溝５４の深さ寸法よりも小さい寸法に形成されているので、基準リブ４３が嵌合溝３５に干渉することによって、ＳＥＬＶ回路用のプラグ４０がソケット部３’に接続されることはない。
【００３６】
また、プラグ１に設けられた基準リブ１４の突出量は、プラグ４０に設けられた基準リブ４３の突出量よりも小さい寸法に設定されているので、ＥＬＶ回路用のプラグ１をＳＥＬＶ回路用のソケット５０に接続することが可能である。なお、ＥＬＶ回路はＳＥＬＶ回路に比べて絶縁等級が低いため、ＥＬＶ回路で使用される負荷機器６０は、ＳＥＬＶ回路で使用される負荷機器６２よりも十分な絶縁対策がとられていると考えられ、したがって、ＥＬＶ回路で使用される負荷機器６０をＳＥＬＶ回路で使用したとしても、安全上の問題は発生しないと考えられるから、ＥＬＶ回路用のプラグ１はＳＥＬＶ回路用のソケット５０に接続可能とし、ＥＬＶ回路とＳＥＬＶ回路の両方で使用可能としている。
【図面の簡単な説明】
【００３７】
【図１】実施形態１の直流電源用の配線装置を示し、（ａ）はコンセントの正面図、（ｂ）はプラグの正面図である。
【図２】同上の交流電源用の配線装置を示し、（ａ）はコンセントの正面図、（ｂ）はプラグの正面図である。
【図３】同上のコンセントを示し、（ａ）は正面図、（ｂ）は右側面図、（ｃ）は背面図、（ｄ）は下面図である。
【図４】同上のコンセントを示し、（ａ）はソケット部の拡大図、（ｂ）はＡ−Ａ断面図、（ｃ）はＢ−Ｂ断面図である。
【図５】同上のソケット部に設けられた嵌合溝の位置を示し、（ａ）は直流電源の場合の説明図、（ｂ）は交流電源の場合の説明図である。
【図６】同上のプラグを示し、（ａ）は正面図、（ｂ）はＤ−Ｄ断面図、（ｃ）はＣ−Ｃ断面図である。
【図７】同上のプラグの外観斜視図である。
【図８】同上のプラグに設けられた識別リブの位置を示し、（ａ）は直流電源の場合の説明図、（ｂ）は交流電源の場合の説明図である。
【図９】同上の複数種類の配線装置の接続関係を示す説明図である。
【図１０】ＳＥＬＶ回路に用いられる直流用のプラグ及びソケットを示し、（ａ）はソケットの正面図、（ｂ）はプラグの正面図である。
【図１１】ＳＥＬＶ回路に用いられる交流用のプラグ及びソケットを示し、（ａ）はソケットの正面図、（ｂ）はプラグの正面図である。
【符号の説明】
【００３８】
１  プラグ
２  コンセント
３  ソケット部
１２  嵌合部
１３  嵌合穴
１４  基準リブ
１５ａ，１５ｂ  ピン端子
３１  プラグ挿入用穴
３２  突出部
３３ａ，３３ｂ  端子挿入用孔
３４  刃受部材
３５  嵌合溝
【図１】
2010055895.tif 000003
【図２】
2010055895.tif 000004
【図３】
2010055895.tif 000005
【図４】
2010055895.tif 000006
【図５】
2010055895.tif 000007
【図６】
2010055895.tif 000008
【図７】
2010055895.tif 000009
【図８】
2010055895.tif 000010
【図９】
2010055895.tif 000011
【図１０】
2010055895.tif 000012
【図１１】
2010055895.tif 000013